(57)【要約】【課題】ＴＶ受像機において、取得したテレテキストデータにおける誤りの発生原因を問わず、誤表示を防止する。【解決手段】ＴＶ受像機のテレテキストデコーダ回路は、デコーダ部と、第１乃至第３バッファメモリと、データ書換え部と、比較制御部とを有する。データ書換え部は、受信したテレテキストデータを第１バッファメモリに記憶させ（Ｓ２）、次に受信したテレテキストデータを第２バッファメモリに記憶させ（Ｓ４）、次に受信したテレテキストデータを第３バッファメモリに記憶させる（Ｓ６）。比較制御部は、第１乃至第３バッファメモリの各々に記憶されたテレテキストを比較し（Ｓ７）、全てが一致している場合（Ｓ８でＹＥＳ）、第１バッファメモリに記憶されているテレテキストを出力させる（Ｓ９）。一方、２つが一致している場合には（Ｓ８でＮＯ、Ｓ１０でＹＥＳ）、一致しているテレテキストを第１バッファメモリに記憶させる（Ｓ１１）。【選択図】図４
2010109569.tif 000002
【特許請求の範囲】
【請求項１】
映像信号、及びテレテキスト信号を含むテレビジョン放送信号を受信する受信手段と、
前記受信手段によって受信された映像信号及びテレテキスト信号に基づく映像を表示する表示手段と、
前記受信手段によって受信されたテレテキスト信号を、前記表示手段に表示させるためのテレテキストデータにデコードするテレテキストデコーダ手段と、
装置各部を制御する制御手段とを備えるテレビジョン受像機において、
テレテキストデータを記憶する複数のテレテキストデータ記憶手段と、
前記複数のテレテキストデータ記憶手段のそれぞれにテレテキストデータを記憶させるテレテキストデータ書込み手段と、
前記複数のテレテキスト記憶手段のそれぞれに記憶されたテレテキストデータの内容を比較する比較手段とをさらに備え、
前記テレテキストデータ書込み手段は、前記テレテキストデコーダ手段によってデコードされたテレテキストデータを順次、前記複数のテレテキスト記憶手段の各々に記憶させ、
前記制御手段は、
前記比較手段を用いて前記複数のテレテキストデータ記憶手段の各々に記憶されたテレテキストデータの内容を比較し、その結果、
前記複数のテレテキストデータ記憶手段に記憶された全てのテレテキストデータが一致している場合、一致しているテレテキストデータを前記表示手段に表示させ、
前記複数のテレテキストデータ記憶手段に記憶された全てのテレテキストデータのうちのいくつかのテレテキストデータが一致している場合、最も一致している数が多いテレテキストデータを前記表示手段に表示させ、
前記複数のテレテキストデータ記憶手段に記憶された全てのテレテキストデータが一致していない場合、前記複数のテレテキストデータ記憶手段に記憶された各テレテキストデータのうち、最後に前記テレテキスト記憶手段に記憶されたテレテキストデータを前記表示手段に表示させることを特徴とするテレビジョン受像機。
【請求項２】
前記複数のテレテキストデータ記憶手段は、第１テレテキストデータ記憶手段、第２テレテキストデータ記憶手段、及び第３テレテキストデータ記憶手段から構成されることを特徴とする請求項１に記載のテレビジョン受像機。
【発明の詳細な説明】
【技術分野】
【０００１】
本発明は、テレテキストを表示可能なテレビジョン受像機に関する。
【背景技術】
【０００２】
従来から、テレビジョン放送信号の垂直帰線期間等を利用した文字多重（テレテキスト）放送を受信し、受信した情報をディスプレイ等の表示部に表示することができるテレビジョン（以下、ＴＶという）受像機が知られている。この種のＴＶ受像機は、ＴＶ放送信号に含まれるテレテキスト信号に基づくテレテキストデータを表示するものであるが、テレテキストデータの取得不良等により画面上に表示される情報に文字化け等の誤表示が発生することがある。
【０００３】
これに対して、特許文献１には、誤表示を起こしたくないデータを比較データとして予め記憶し、受信されたテレテキストデータと記憶された比較データとを比較して、これらが一致した場合、そのテレテキストデータを表示しないようにした表示装置が開示されている。しかし、この装置では、予め記憶されたデータの誤表示しか防ぐことができず、また、テレテキスト信号の電界が弱いことに起因する誤表示にしか対応できない。
【０００４】
また、特許文献２には、テレテキストデータの種類を判別し、その種類に応じた誤検出／訂正処理を行うことにより誤表示を防ぐことができる表示装置が開示されている。しかし、この特許文献２には、テレテキストデータの種類に対応した誤り検出訂正の具体的な手法が示されていない。また、特許文献３には、テレテキストデータから生成される属性データと、リクエストデータとを比較し、比較結果に基いてテレテキストデータの中から文字データを記憶する表示装置が開示されている。しかし、この表示装置では上記誤表示の問題点を解決することはできない。
【０００５】
ところで、特許文献４には、ワイヤレスによる接続環境下において、レスポンス及びＧＵＩ表示品位を向上させるテレテキストＴＶ受像機が開示されている。しかし、この種のテレテキストＴＶ受像機では、上記問題点を解決できない。
【特許文献１】特開２００７−２２１２１０号公報
【特許文献２】特開２００６−１２９０９７号公報
【特許文献３】特開２００５−３２３２９１号公報
【特許文献４】特開２００５−２２９４８２号公報
【発明の開示】
【発明が解決しようとする課題】
【０００６】
本発明は、上記問題点を鑑みてなされたものであり、取得したテレテキストデータにおける誤りの発生原因を問わず、テレテキストの誤表示を防止することができるＴＶ受像機を提供することを目的とする。
【課題を解決するための手段】
【０００７】
上記目的を達成するため、請求項１の発明は、映像信号、及びテレテキスト信号を含むテレビジョン放送信号を受信する受信手段と、前記受信手段によって受信された映像信号及びテレテキスト信号に基づく映像を表示する表示手段と、前記受信手段によって受信されたテレテキスト信号を、前記表示手段に表示させるためのテレテキストデータにデコードするテレテキストデコーダ手段と、装置各部を制御する制御手段とを備えるテレビジョン受像機において、テレテキストデータを記憶する複数のテレテキストデータ記憶手段と、前記複数のテレテキストデータ記憶手段のそれぞれにテレテキストデータを記憶させるテレテキストデータ書込み手段と、前記複数のテレテキスト記憶手段のそれぞれに記憶されたテレテキストデータの内容を比較する比較手段とをさらに備え、前記テレテキストデータ書込み手段は、前記テレテキストデコーダ手段によってデコードされたテレテキストデータを順次、前記複数のテレテキスト記憶手段の各々に記憶させ、前記制御手段は、前記比較手段を用いて前記複数のテレテキストデータ記憶手段の各々に記憶されたテレテキストデータの内容を比較し、その結果、前記複数のテレテキストデータ記憶手段に記憶された全てのテレテキストデータが一致している場合、一致しているテレテキストデータを前記表示手段に表示させ、前記複数のテレテキストデータ記憶手段に記憶された全てのテレテキストデータのうちのいくつかのテレテキストデータが一致している場合、最も一致している数が多いテレテキストデータを前記表示手段に表示させ、前記複数のテレテキストデータ記憶手段に記憶された全てのテレテキストデータが一致していない場合、前記複数のテレテキストデータ記憶手段に記憶された各テレテキストデータのうち、最後に前記テレテキスト記憶手段に記憶されたテレテキストデータを前記表示手段に表示させるものである。
【０００８】
請求項２の発明は、前記複数のテレテキストデータ記憶手段は、第１テレテキストデータ記憶手段、第２テレテキストデータ記憶手段、及び第３テレテキストデータ記憶手段から構成されるものである。
【発明の効果】
【０００９】
本発明によれば、複数のテレテキストデータ記憶手段の各々に記憶されたテレテキストデータの内容を比較し、その結果、全てのテレテキストデータが一致している場合、一致しているテレテキストデータを表示手段に表示させる。また、全てのテレテキストデータのうちのいくつかが一致している場合、最も一致している数が多いテレテキストデータを表示手段に表示させ、全てのテレテキストデータが一致していない場合、最後にテレテキスト記憶手段に記憶されたテレテキストデータを表示手段に表示させる。そのため、データの取得不良等により受信したテレテキストデータが誤っている場合であっても、テレテキストデータの内容を比較することにより、取得したテレテキストデータにおける誤りの発生原因を問わず、誤ったテレテキストデータが画面上に表示されることを防ぐことができる。
【発明を実施するための最良の形態】
【００１０】
以下、本発明の一実施形態に係るテレビジョン（以下、ＴＶという）受像機について、図１及び図２を参照して説明する。ＴＶ受像機１は、テレテキスト信号を含むＴＶ放送信号を受信し、受信したテレテキスト信号に基づくテレテキストを表示部（表示手段）２に表示することができる。
【００１１】
図１に示すように、ＴＶ受像機１は、表示部２と、ＴＶ放送番組の音声を出力可能なスピーカ３と、アンテナ４に接続され、このアンテナ４により受信されるＴＶ放送信号から所望のＴＶ放送番組とテレテキスト信号を取得するチューナ（受信手段）５とを備える。また、ＴＶ受像機１は、ＴＶ受像機１の筐体外部に露出するように設けられた端子部６と、装置本体とは別体となるリモコン装置７から送信された操作信号を受信する受信部８と、装置各部の制御を行うための制御用マイコン（制御手段）９とをさらに備える。
【００１２】
ＴＶ受像機１は、制御用マイコン９による制御に基づき、例えばチューナ５により選局されたＴＶ放送番組や、端子部６にケーブルを介して入力される画像・音声等を表示部２やスピーカ３を介して視聴可能にすることができる。
【００１３】
表示部２は、チューナ５によって受信された映像信号及びテレテキスト信号に基づく映像とテレテキストを表示するものである。リモコン装置７は、チューナ５によって受信されるＴＶ放送番組を選択するためのチャンネル選択ボタン７ａと、スピーカ３から出力される音量を調節するための音量調節ボタン７ｂと、テレテキスト表示切替ボタン７ｃとを有する。ユーザによってテレテキスト表示切替ボタン７ｃが操作されることにより、表示部２上にテレテキストを表示するか否かが設定される。
【００１４】
制御用マイコン９は、図２に示すように、ＴＶ放送信号に含まれる映像信号を処理する映像信号処理部１１と、ＴＶ放送信号に含まれるテレテキスト信号を処理するテレテキストデコーダ回路（テレテキストデコーダ手段）１２と、合成部１３と、映像データを表示部２に出力する映像データ出力部１４とを有する。また、制御用マイコン９は、音声信号を処理する音声信号処理部１５と、音声データをスピーカ３に出力する音声データ出力部１６とをさらに有する。
【００１５】
映像信号処理部１１は、ＴＶ放送信号に含まれる映像信号を表示部２に表示可能な映像データに変換する等の処理を行い、変換した映像データを合成部１３に送信する。テレテキストデコーダ回路１２は、ＴＶ放送信号に含まれるテレテキスト信号を抽出して表示部２に表示可能なデータにデコードし、デコードしたテレテキストデータを合成部１３に送信する。
【００１６】
合成部１３は、映像信号処理部１１及びテレテキストデコーダ回路１２から送信されたデータをリモコン装置７から送信される指示信号に基づいて合成する。具体的には、例えば、ユーザによってテレテキスト表示切替ボタン７ｃが操作されることにより、テレテキストの表示がオンに設定されているとき、合成部１３は映像データとテレテキストデータを合成して、合成した映像データを映像データ出力部１４に送出する。一方、テレテキストの表示がオフに設定されているとき、合成部１３は映像信号処理部１１から送信された映像データのみを映像データ出力部１４に送信する。なお、テレテキストの表示がオンに設定されているとき、合成部１３は、映像信号処理部１１から送信された映像データと、テレテキストデータとを交互に切替えて表示部２に出力することにより、ＴＶ放送番組の映像データとテレテキストとを表示部２に表示させてもよい。
【００１７】
音声信号処理部１５は、受信したＴＶ放送信号に含まれる音声信号を音声データに変換して、音声データ出力部１６に送信する。
【００１８】
次に、テレテキストデコーダ回路１２の構成について、図３を参照して説明する。テレテキストデコーダ回路１２は、テレテキスト信号抽出部２１と、テレテキスト信号をデコードするデコーダ部２２とを有する。また、テレテキストデコーダ回路１２は、メモリ部（複数のテレテキストデータ記憶手段）２３にデータを記憶させるためのデータ書換え部（テレテキストデータ書込み手段）２４と、比較制御部（比較手段）２５と、合成部１３にテレテキストデータを出力するデータ出力部２６とをさらに有する。
【００１９】
テレテキスト信号抽出部２１は、チューナ５から受信したＴＶ放送信号に含まれるテレテキスト信号を抽出する。デコーダ部２２は、テレテキスト信号抽出部２１によって抽出したテレテキスト信号を表示部２に表示可能なテレテキストデータにデコードする。
【００２０】
メモリ部２３は、第１バッファメモリ（第１テレテキストデータ記憶手段）２３ａ、第２バッファメモリ（第２テレテキストデータ記憶手段）２３ｂ、及び第３バッファメモリ（第３テレテキストデータ記憶手段）２３ｃから構成され、第１バッファメモリ乃至第３バッファメモリは各々、テレテキストデータを記憶するものである。
【００２１】
データ書換え部２４は、デコーダ部２２によってデコードされたテレテキストデータをメモリ部２３の第１乃至第３のバッファメモリ２３ａ〜２３ｃに順次記憶させる。
【００２２】
比較制御部２５は、第１乃至第３バッファメモリ２３ａ〜２３ｃのそれぞれに記憶されたテレテキストデータの内容を比較し、その結果により、表示部２に表示させるテレテキストデータを制御する処理を行うものである。この処理の詳細については後述する。また、比較制御部２５は、データ書換え部２４に動作指示を行うことにより、例えば、データ書換え部２４を制御して、第３バッファメモリに記憶されているテレテキストデータの内容を第１バッファメモリに記憶させることができる。データ出力部２６は、第１バッファメモリ２３ａに記憶されているテレテキストデータを取得して合成部１３に出力するものである。
【００２３】
次に、テレテキストデコーダ回路１２によるテレテキストデータの出力処理について、図４に示すフローチャートを参照して説明する。ここでは説明の便宜上、テレテキスト信号抽出部によるテレテキスト信号の抽出処理及び、デコーダ部２２によるデコード処理の説明については省略する。
【００２４】
まず、データ書換え部２４は、デコーダ部２２からテレテキストデータを受信すると（Ｓ１）、受信したテレテキストデータを第１バッファメモリ２３ａに記憶させ（Ｓ２）、次にデコーダ部２２からテレテキストデータを受信すると（Ｓ３）、受信したテレテキストデータを第２バッファメモリ２３ｂに記憶させる（Ｓ４）。その後、データ書換え部２４は、デコーダ部２２からテレテキストデータを受信すると（Ｓ５）、受信したテレテキストデータを第３バッファメモリ２３ｃに記憶させる（Ｓ６）。
【００２５】
そして、比較制御部２５は、第１乃至第３バッファメモリ２３ａ〜２３ｃの各々に記憶されたテレテキストデータの内容を比較し（Ｓ７）、第１乃至第３バッファメモリ２３ａ〜２３ｃに記憶された全てのテレテキストデータが一致している場合（Ｓ８でＹＥＳ）、第１バッファメモリ２３ａに記憶されているテレテキストデータをデータ出力部２６により合成部１３に出力する（Ｓ９）。そして、その後、上記Ｓ３以降の処理が繰り返される。
【００２６】
一方、第１乃至第３バッファメモリ２３ａ〜２３ｃに記憶された全てのテレテキストデータのうちの２つのテレテキストデータが一致している場合には（Ｓ８でＮＯ、Ｓ１０でＹＥＳ）、比較制御部２５は、データ書換え部２４を制御することにより、一致しているテレテキストデータを第１バッファメモリ２３ａに記憶させる（Ｓ１１）。そして、上記Ｓ９に示したように、データ出力部２６によって第１バッファメモリ２３ａに記憶されているデータが合成部１３に出力される。
【００２７】
また、第１乃至第３バッファメモリ２３ａ〜２３ｃに記憶された全てのテレテキストデータが一致していない場合（Ｓ１０でＮＯ）、比較制御部２５は、第１乃至第３バッファメモリ２３ａ〜２３ｃに記憶された各テレテキストデータのうち、最後に記憶されたテレテキストデータを第１バッファメモリ２３ａに記憶する。具体的には、例えば、第３バッファメモリ２３ｃに記憶されたテレテキストデータが最後に記憶されたテレテキストデータである場合、比較制御部２５は、データ書換え部２４を制御することにより、第３バッファメモリ２３ｃに記憶されたテレテキストデータを第１バッファメモリ２３ａに記憶させる（Ｓ１２）。そして、上記Ｓ９に示したように、第１バッファメモリ２３ａに記憶されているデータがデータ出力部２６によって合成部１３に出力される。
【００２８】
上述したように、本実施形態に係るＴＶ受像機１によれば、第１乃至第３バッファメモリ２３ａ〜２３ｃの各々に記憶されたテレテキストデータの内容を比較し、その結果、全てのテレテキストデータが一致している場合、一致しているテレテキストデータを表示部２に表示させる。また、第１乃至第３バッファメモリ２３ａ〜２３ｃに記憶されたテレテキストデータのうちのいくつかが一致している場合、最も一致している数が多いテレテキストデータを表示部２に表示させ、全てのテレテキストデータが一致していない場合、最後に第１乃至第３バッファメモリ２３ａ〜２３ｃのうちのいずれかに記憶されたテレテキストデータを表示部２に表示させる。そのため、データの取得不良等により受信したテレテキストデータが誤っている場合であっても、テレテキストデータの内容を比較することにより、取得したテレテキストデータにおける誤りの発生原因を問わず、誤ったテレテキストデータが画面上に表示されるのを防ぐことができる。
【００２９】
なお、本発明は、上記実施形態の構成に限られず、発明の趣旨を変更しない範囲で種々の変形が可能である。例えば、上記の実施形態において、テレテキストデータを記憶するバッファメモリは４つ以上であってもよい。
【図面の簡単な説明】
【００３０】
【図１】本発明の一実施形態に係るＴＶ受像機の構成を示すブロック図。
【図２】上記ＴＶ受像機の制御用マイコンの構成を示すブロック図。
【図３】上記制御用マイコンのテレテキストデコーダ回路の構成を示すブロック図。
【図４】上記テレテキストデコーダ回路によるテレテキストデータの出力処理を示すフローチャート。
【００３１】
１  ＴＶ受像機（テレビジョン受像機）
２  表示部（表示手段）
５  チューナ（受信手段）
９  制御用マイコン（制御手段）
１２  テレテキストデコーダ回路（テレテキストデコーダ手段）
２２  デコーダ部（テレテキストデコーダ手段）
２３  メモリ部（複数のテレテキストデータ記憶手段）
２４  データ書換え部（テレテキストデータ書込み手段）
２５  比較制御部（比較手段）
２３ａ  第１バッファメモリ（第１テレテキストデータ記憶手段）
２３ｂ  第２バッファメモリ（第２テレテキストデータ記憶手段）
２３ｃ  第３バッファメモリ（第３テレテキストデータ記憶手段）
【図１】
2010109569.tif 000003
【図２】
2010109569.tif 000004
【図３】
2010109569.tif 000005
【図４】
2010109569.tif 000006